(57)【要約】【課題】二つのリアクトルをケースに配置したリアクトル装置の振動や騒音を抑制する。【解決手段】閉磁路が形成されるよう矩形環状に形成されたリアクトルコア３３とリアクトルコア３３の対向する一対の環状部に巻線を巻回してなる２つのコイル３５ａ，３５ｂとにより構成されたリアクトル３１と、リアクトルコア３３およびコイル３５ａ，３５ｂとそれぞれ同じ構成のリアクトルコア３４およびコイル３６ａ，３６ｂによりリアクトル３１と同様に構成されたリアクトル３２と、をコイル３５ａ，３５ｂとコイル３６ａ，３６ｂの向きがそれぞれ直交するようにケース４１に配置して固定する。これにより、リアクトルコア３３，３４が変形して振動を生じても、リアクトル３１，３２からケース４１に伝播した振動の重畳が抑制されて、二つのリアクトル３１，３２をケース４１に配置したリアクトル装置２０の振動や騒音を抑制することができる。【選択図】図１
2010219405.tif 000002
【特許請求の範囲】
【請求項１】
磁路を形成する材料により閉磁路が形成されるよう矩形環状に形成されたリアクトルコアと該リアクトルコアの対向する一対の環状部に巻線を巻回してなる二つのコイルとからなる二つのリアクトルを、前記コイルの向きが直交する向きにケースに配置してなるリアクトル装置。
【発明の詳細な説明】
【技術分野】
【０００１】
本発明は、リアクトル装置に関する。
【背景技術】
【０００２】
従来、この種のリアクトル装置が備えるリアクトルとしては、電磁鋼板を積層した２個の内側巻鉄心と１個の外側巻鉄心からなる三相巻鉄心と、三相巻鉄心の３つの脚部に導体を巻回した３個のコイルと三相巻鉄心の上部の継鉄部に配置した磁性材とを備えるものが提案されている（例えば、特許文献１参照）。このリアクトルでは、継鉄部の磁束密度を低減することで、電磁鋼板に生じる振動，騒音を低減している。
【先行技術文献】
【特許文献】
【０００３】
【特許文献１】特開２００２−２０８５１８号公報
【発明の概要】
【発明が解決しようとする課題】
【０００４】
こうしたリアクトル装置では、振動や騒音の低減が課題の一つとされている。この振動や騒音は、コイルに印加する交流電流に応じて鉄心としてのリアクトルコアに生じる磁気吸引力や磁歪によりリアクトルコアが周期的に変形することで生じ、リアクトル装置に伝播する。このため、リアクトルを二つ備えるリアクトル装置では、二つのリアクトルから伝播した振動が共振するなどして振動や騒音が大きくなる場合がある。
【０００５】
本発明のリアクトル装置は、二つのリアクトルをケースに配置したリアクトル装置の振動や騒音を抑制することを主目的とする。
【課題を解決するための手段】
【０００６】
本発明のリアクトル装置は、上述の主目的を達成するために以下の手段を採った。
【０００７】
本発明のリアクトル装置は、
磁路を形成する材料により閉磁路が形成されるよう矩形環状に形成されたリアクトルコアと該リアクトルコアの対向する一対の環状部に巻線を巻回してなる二つのコイルとからなる二つのリアクトルを、前記コイルの向きが直交する向きにケースに配置してなる
ことを特徴とする。
【０００８】
この本発明のリアクトル装置では、磁路を形成する材料により閉磁路が形成されるよう矩形環状に形成されたリアクトルコアとリアクトルコアの対向する一対の環状部に巻線を巻回してなる二つのコイルとからなる二つのリアクトルを、コイルの向きが直交する向きにケースに配置する。即ち、コイルに印加される交流電流に応じてリアクトルコアに生じる磁気吸引力や磁歪によりリアクトルコアが周期的に変形して振動や騒音を生じるが、二つのリアクトルコアの変形の方向がそれぞれ直交するように二つのリアクトルがケースに配置されるため、ケースに伝播した振動の重畳が抑制される。これにより、二つのリアクトルをケースに配置したリアクトル装置の振動や騒音を抑制することができる。
【図面の簡単な説明】
【０００９】
【図１】図１は、本発明の一実施例としてのリアクトル装置２０の構成の概略を示す構成図である。
【図２】コイル３５ａ，３５ｂおよびコイル３６ａ，３６ｂにそれぞれ同じ交流電流が印加されてリアクトルコア３３，３４が周期的に変形する様子の一例を示す説明図である。
【発明を実施するための形態】
【００１０】
次に、本発明を実施するための形態を実施例を用いて説明する。
【実施例】
【００１１】
図１は、本発明の一実施例としてのリアクトル装置２０の構成の概略を示す構成図である。実施例のリアクトル装置２０は、図示するように、２つのリアクトル３１，３２と、リアクトル３１，３２を収納するケース４１と、を備える。こうしたリアクトル装置２０としては、例えば、バッテリとバッテリの電圧を昇圧する昇圧コンバータとを備える蓄電装置を２つ並列に接続してなると共に電動機などに電力を供給する電源装置において、２つの昇圧コンバータが有する２つのリアクトルをケースに収納したものなどがある。
【００１２】
リアクトル３１は、圧粉磁心や電磁鋼板の積層体により構成されて閉磁路が形成されるよう矩形環状に形成されたリアクトルコア３３と、リアクトルコア３３の対向する一対の環状部に巻線を巻回してなる２つのコイル３５ａ，３５ｂとにより構成されている。リアクトル３２は、リアクトルコア３３およびコイル３５ａ，３５ｂとそれぞれ同じ構成のリアクトルコア３４およびコイル３６ａ，３６ｂによりリアクトル３１と同様に構成されている。こうして構成されたリアクトル３１，３２は、コイル３５ａ，３５ｂの向きとコイル３６ａ，３６ｂの向きとが直交する向きに互いに近接して隣り合うようケース４１に配置され固定されている。そして、リアクトルコア３３，３４は、コイル３５ａ，３５ｂおよびコイル３６ａ，３６ｂに印加される交流電流に応じてリアクトルコア３３，３４に生じる磁気吸引力や磁歪により周期的に変形して振動する。そして、この振動は、ケース４１に伝播されてリアクトル装置２０の振動や騒音の要因となる。
【００１３】
図２は、コイル３５ａ，３５ｂおよびコイル３６ａ，３６ｂにそれぞれ同じ波形の交流電流が印加されてリアクトルコア３３，３４が周期的に変形する様子の一例を示す説明図である。図示するように、交流電流が印加されるとリアクトルコア３３，３４は、図中の（ａ），（ｂ），（ｃ），（ｄ）の順に変形を繰り返す。また、図中の太線矢印は、コイル３５ａ，３５ｂおよびコイル３６ａ，３６ｂに交流電流が印加されたときにリアクトルコア３３，３４に生じる応力の方向を示す。まず、リアクトルコア３３，３４が矩形環状のまま変形していない状態で交流電流が印加されると、図中（ａ）に示すようにリアクトルコア３３のコイル３５ａ，３５ｂが巻回されていない対向する一対の環状部にはそれぞれを遠ざける方向の応力が生じると共にコイル３５ａ，３５ｂが巻回された対向する一対の環状部にはそれぞれを近づける方向の応力が生じ、リアクトルコア３４にも同様の応力が生じる。次に、リアクトルコア３３，３４に生じた応力により、図中（ｂ）に示すように、リアクトルコア３３はコイル３５ａ，３５ｂが巻回されていない対向する一対の環状部がリアクトルコア３３の中央部から外側に向かって凸状に変形すると共にコイル３５ａ，３５ｂが巻回された対向する一対の環状部がリアクトルコア３３の外側から中央部に向かって凸状に変形し、リアクトルコア３４も同様に変形する。続いて、交流電流が減少すると、図中（ｃ）に示すように、リアクトルコア３３，３４は矩形環状に戻り、さらに（ａ）のときとは逆向きの交流電流が印加されて、リアクトルコア３３のコイル３５ａ，３５ｂが巻回されていない対向する一対の環状部にはそれぞれを近づける方向の応力が生じると共にコイル３５ａ，３５ｂが巻回された対向する一対の環状部にはそれぞれを遠ざける方向の応力が生じ、リアクトルコア３４にも同様に応力が生じる。次に、リアクトルコア３３，３４に生じた応力により、図中（ｄ）に示すように、リアクトルコア３３はコイル３５ａ，３５ｂが巻回されていない対向する一対の環状部がリアクトルコア３３の外側から中央部に向かって凸状に変形すると共にコイル３５ａ，３５ｂが巻回された対向する一対の環状部がリアクトルコア３３の中央部から外側へ向かって凸状に変形し、リアクトルコア３４も同様に変形する。続いて、交流電流が減少すると、図中（ａ）に示すように、リアクトルコア３３，３４は矩形環状に戻る。このように、リアクトルコア３３，３４は、周期的に変形して振動する。実施例のリアクトル装置２０では、コイル３５ａ，３５ｂとコイル３６ａ，３６ｂの向きがそれぞれ直交するようにリアクトル３１，３２がケース４１に配置されるため、リアクトル３１，３２からケース４１に伝播する振動が共振するなどの振動の重畳が抑制されるから、リアクトル３１，３２を互いに同じ向きにケース４１に配置したものに比してリアクトル装置２０の振動やこの振動により生じる騒音を抑制することができる。また、実施例のリアクトル装置２０では、コイル３５ａ，３５ｂとコイル３６ａ，３６ｂの向きがそれぞれ直交するようにリアクトル３１，３２がケース４１に配置されるため、同じ波形の交流電流が印加される場合には、リアクトルコア３３のコイル３５ｂが巻回された環状部とこの環状部に隣り合うリアクトルコア３４の環状部では、リアクトルコア３３側の環状部がリアクトルコア３３の中央部から外側へ向かって凸状に変形したときにはリアクトルコア３４側の環状部がリアクトルコア３４の外側から中央部へ向かって凸状に変形し、リアクトルコア３４側の環状部がリアクトルコア３４の中央部から外側へ向かって凸状に変形したときにはリアクトルコア３３側の環状部がリアクトルコア３３の外側から中央部へ向かって凸状に変形するから、リアクトル３１，３２を互いに同じ向きにケース４１に配置したものに比してリアクトル３１，３２が互いに接触しない範囲内でリアクトル３１，３２をより近接して配置することが可能となる。
【００１４】
以上説明した実施例のリアクトル装置によれば、閉磁路が形成されるよう矩形環状に形成されたリアクトルコア３３とリアクトルコア３３の対向する一対の環状部に巻線を巻回してなる２つのコイル３５ａ，３５ｂとにより構成されたリアクトル３１と、リアクトルコア３３およびコイル３５ａ，３５ｂとそれぞれ同じ構成のリアクトルコア３４およびコイル３６ａ，３６ｂによりリアクトル３１と同様に構成されたリアクトル３２と、をコイル３５ａ，３５ｂとコイル３６ａ，３６ｂの向きがそれぞれ直交するようにケース４１に配置するから、コイル３５ａ，３５ｂおよびコイル３６ａ，３６ｂに印加される交流電流に応じてリアクトルコア３３，３４に生じる磁気吸引力や磁歪によりリアクトルコア３３，３４が変形して振動を生じても、リアクトル３１，３２からケース４１に伝播した振動の重畳が抑制されて、二つのリアクトル３１，３２をケース４１に配置したリアクトル装置２０の振動や騒音を抑制することができる。
【００１５】
実施例の主要な要素と課題を解決するための手段の欄に記載した発明の主要な要素との対応関係について説明する。実施例では、圧粉磁心や電磁鋼板の積層体により構成されて閉磁路が形成されるよう矩形環状に形成されたリアクトルコア３３，３４が「リアクトルコア」に相当し、リアクトルコア３３の対向する一対の環状部に巻線を巻回してなるコイル３５ａ，３５ｂやリアクトルコア３４の対向する一対の環状部に巻線を巻回してなるコイル３６ａ，３６ｂが「コイル」に相当し、ケース４１が「ケース」に相当し、リアクトル３１，３２が「リアクトル」に相当する。
【００１６】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００１７】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００１８】
本発明は、リアクトル装置の製造産業等に利用可能である。
【符号の説明】
【００１９】
２０  リアクトル装置、３１，３２  リアクトル、３３，３４  リアクトルコア、３５ａ，３５ｂ，３６ａ，３６ｂ  コイル、４１  ケース。
【図１】
2010219405.tif 000003
【図２】
2010219405.tif 000004